(57)【要約】【課題】制御基板に対する不正行為をより確実に防止可能な基板ケースユニットを提供する。【解決手段】基板ケースユニットは、閉止状態においてシールカッター部材９０をトップケース６０に溶着させた場合は、ボトムケース５０に対してトップケース６０を開放方向に相対移動させようとするとロック片９６とロック受部５５とが当接して当該開放方向への相対移動が規制されるが、外部から分離部９２を破断してシールカッター部材９０からロック片９６を分離させて取り除くことで、ロック片９６とロック受部５５との当接が解除されて当該開放方向への相対移動が許容され、この状態でトップケース６０を開放方向に相対移動させると、シールカッター部材９０がトップケース６０と一体的に相対移動して封印シール８０を破断するよう構成される。【選択図】図１２
2015107196.tif 000002
【特許請求の範囲】
【請求項１】
第１ケース部材と当該第１ケース部材に対して開閉可能に取り付けられる第２ケース部材とを備え、前記第１ケース部材に対して前記第２ケース部材を開閉移動方向における閉止方向に相対移動させて前記第２ケース部材を前記第１ケース部材に閉止状態で保持させて、当該閉止状態で前記第１ケース部材および前記第２ケース部材に囲まれて形成されるケース内部に制御基板を収容する基板ケースユニットであって、
前記第１ケース部材および前記第２ケース部材のいずれか一方のケース部材の内部に貼着されるシール部材と、
破断部材本体、前記シール部材を破断する破断部、前記破断部材本体に形成されて前記第１ケース部材に対する前記第２ケース部材の前記開閉移動方向における開放方向への相対移動を規制するためのロック部、および外部から破断可能に形成されて前記破断部材本体から前記ロック部を分離させ得る分離部を有し、前記閉止状態で他方のケース部材に外部から装着されるシール破断部材とを備え、
前記一方のケース部材は、前記ロック部と当接または係合する被ロック部を有し、
前記他方のケース部材は、前記シール破断部材が前記閉止状態で当該他方のケース部材に固着されたとき、前記ロック部を挿通させて前記ロック部を前記ケース内部に導くロック部挿通孔と、前記破断部を挿通させて前記破断部を前記シール部材と近接させる破断部挿通孔とを有し、
前記閉止状態において前記破断部材本体を前記他方のケース部材に固着させて前記シール破断部材を前記他方のケース部材に装着した場合は、前記第１ケース部材に対して前記第２ケース部材を前記開放方向に相対移動させようとすると前記ロック部と前記被ロック部とが当接又は係合して当該開放方向への相対移動が規制されるが、外部から前記分離部を破断して前記シール破断部材から前記ロック部を分離させて取り除くことで、前記ロック部と前記被ロック部との当接又は係合が解除されて当該開放方向への相対移動が許容されるようになり、
当該許容状態において前記第１ケース部材に対して前記第２ケース部材を前記開放方向に相対移動させたとき、前記他方のケース部材に固定された前記シール破断部材も一体的に相対移動して前記一方のケース部材に貼着された前記シール部材に接触してこれを破断することを特徴とする基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたボトムケースとその前方に開閉可能に装着されるトップケースとからなる基板ケース内に収容されている。また、基板ケースには、ボトムケースに対してトップケースを閉止状態で装着したときに、ボトムケース側に形成した係合部とトップケース側に形成した係合部とが係合連結することで基板ケースを閉止状態でロックし、トップケース（もしくはボトムケース）とその係合部との間を繋ぐ連結部をニッパ等の工具を用いて切り離さない限り基板ケースを開放不能にする不正開放防止構造が設けられている（例えば、特許文献１を参照）。
【０００４】
また、遊技機の固有情報や、制御基板の識別情報等を記憶させた無線読み取り可能なＩＣチップを有した封印シールをボトムケース及びトップケースの境界を跨ぐように貼着し、これを外方からシールカバー部材で包囲することで、基板ケースを封印することも知られている（例えば、特許文献２を参照）。このような封印シールを用いた場合、基板ケースを開放するために封印シールを剥がそうとすると、封印シールが破断され易くなっているため、目視によりその破断箇所の確認が出来ると共に、リーダ等によってＩＣチップの格納情報を読み取ることが出来なくなるので、基板ケースに対する不正なアクセスがあった場合の痕跡をより明瞭に残すことができる。
【０００５】
かかる封印シールは、基板ケースの不正開放対策に資することができるが、これが巧妙化した手口により不正に剥がされて（例えば、剥離剤を用いて剥がされて）再使用されると、基板ケースそのものを交換するような不正行為を却って発見しにくくなる。そのため、封印シールを外方から包囲するシールカバー部材に封印シールを破壊するための破壊突起を設けて、基板ケースを開放する際にシールカバー部材を外した時点で封印シールが復旧不能な程度に破壊される構成が提案されている（例えば、特許文献３を参照）。
【先行技術文献】
【特許文献】
【０００６】
【特許文献１】特開２００４−６５２８０号公報
【特許文献２】特開２００９−２６１６４０号公報
【特許文献３】特開２０１０−１７８９０３号公報
【発明の概要】
【発明が解決しようとする課題】
【０００７】
しかしながら、制御基板に対する不正行為は巧妙化しており、このような不正行為をより確実に防止する対策が求められている。
【０００８】
本発明は、このような課題に鑑みてなされたものであり、制御基板に対する不正行為をより確実に防止可能な基板ケースユニットを提供することを目的とする。
【課題を解決するための手段】
【０００９】
このような目的達成のために、本発明に係る基板ケースユニットは、第１ケース部材（例えば、実施形態におけるボトムケース５０）と当該第１ケース部材に対して開閉可能に取り付けられる第２ケース部材（例えば、実施形態におけるトップケース６０）とを備え、第１ケース部材に対して第２ケース部材を開閉移動方向における閉止方向に相対移動させて第２ケース部材を第１ケース部材に閉止状態で保持させて、当該閉止状態で第１ケース部材および第２ケース部材に囲まれて形成されるケース内部に制御基板（例えば、実施形態における主制御基板１１）を収容する基板ケースユニット（例えば、実施形態における主制御基板ケースユニット３０）であって、第１ケース部材および第２ケース部材のいずれか一方のケース部材の内部に貼着されるシール部材（例えば、実施形態における封印シール８０）と、破断部材本体（例えば、実施形態における基部板９１）、シール部材を破断する破断部（例えば、実施形態における破壊突起９４）、破断部材本体に形成されて第１ケース部材に対する第２ケース部材の開閉移動方向における開放方向への相対移動を規制するためのロック部（例えば、実施形態におけるロック片９６）、および外部から破断可能に形成されて破断部材本体からロック部を分離させ得る分離部を有し、閉止状態で他方のケース部材に外部から装着されるシール破断部材（例えば、実施形態におけるシールカッター部材９０）とを備え、一方のケース部材は、ロック部と当接または係合する被ロック部（例えば、実施形態におけるロック受部５５）を有し、他方のケース部材は、シール破断部材が閉止状態で当該他方のケース部材に固着されたとき、ロック部を挿通させてロック部をケース内部に導くロック部挿通孔（例えば、実施形態におけるロック片挿通溝６７）と、破断部を挿通させて破断部をシール部材と近接させる破断部挿通孔（例えば、実施形態におけるカッター挿通溝６６）とを有し、閉止状態において破断部材本体を他方のケース部材に固着させてシール破断部材を他方のケース部材に装着した場合は、第１ケース部材に対して第２ケース部材を開放方向に相対移動させようとするとロック部と被ロック部とが当接又は係合して当該開放方向への相対移動が規制されるが、外部から分離部を破断してシール破断部材からロック部を分離させて取り除くことで、ロック部と被ロック部との当接又は係合が解除されて当該開放方向への相対移動が許容されるようになり、当該許容状態において第１ケース部材に対して第２ケース部材を開放方向に相対移動させたとき、他方のケース部材に固定されたシール破断部材も一体的に相対移動して一方のケース部材に貼着されたシール部材に接触してこれを破断するよう構成される。
【発明の効果】
【００１０】
本発明によれば、制御基板に対する不正行為をより確実に防止することが可能である。
【図面の簡単な説明】
【００１１】
【図１】本実施形態に係るぱちんこ遊技機の斜視図である。
【図２】上記ぱちんこ遊技機の背面図である。
【図３】第１実施形態の主制御基板ケースユニットの分解斜視図である。
【図４】第１実施形態の主制御基板ケースユニットにおける封印構造の分解斜視図である。
【図５】第１実施形態の主制御基板ケースユニットにおける封印シールの平面図である。
【図６】第１実施形態の主制御基板ケースユニットにおけるシールカッター部材の斜視図である。
【図７】第１実施形態の主制御基板ケースユニットにおいて、封印シールをボトム側封印部に貼着するときの状態を示す斜視図である。
【図８】第１実施形態の主制御基板ケースユニットにおいて、トップ側封印部をボトム側封印部に位置合わせした状態を示す斜視図である。
【図９】第１実施形態の主制御基板ケースユニットにおいて、ボトム側封印に対してトップ側封印部を閉止方向にスライド移動させている状態を示す斜視図である。
【図１０】第１実施形態の主制御基板ケースユニットにおいて、ボトム側封印に対してトップ側封印部をスライド装着した状態を示す斜視図である。
【図１１】第１実施形態の主制御基板ケースユニットにおいて、シールカッター部材を装着するときの状態を示す斜視断面図である。
【図１２】第１実施形態の主制御基板ケースユニットにおいて、シールカッター部材を装着した状態を示す斜視断面図である。
【図１３】第１実施形態の主制御基板ケースユニットにおいて、シールカッター部材をトップ側封印部に溶着した状態を示す斜視図である。
【図１４】第１実施形態の主制御基板ケースユニットにおいて、シールカッター部材の分離部を破壊する前の状態を示す斜視図である。
【図１５】第１実施形態の主制御基板ケースユニットにおいて、シールカッター部材の分離部を破壊した後の状態を示す斜視図である。
【図１６】第１実施形態の主制御基板ケースユニットにおいて、シールカッター部材の分離部を破壊した状態を示す斜視断面図である。
【図１７】第１実施形態の主制御基板ケースユニットにおいて、シールカッター部材により封印シールを破断している状態を示す斜視断面図である。
【図１８】第１実施形態の主制御基板ケースユニットにおいて、トップケースとシールカッター部材とに跨ってマーキング群が施されている状態を示す斜視図である。
【図１９】第２実施形態の主制御基板ケースユニットの分解斜視図である。
【図２０】第２実施形態の主制御基板ケースユニットにおけるボトム側封印部の斜視図である。
【図２１】第２実施形態の主制御基板ケースユニットにおけるボトム側封印部の斜視断面図である。
【図２２】第２実施形態の主制御基板ケースユニットにおけるトップ側封印部の斜視図である。
【図２３】第２実施形態の主制御基板ケースユニットにおけるトップ側封印部の斜視断面図である。
【図２４】第２実施形態の主制御基板ケースユニットにおけるシールカッター部材の斜視図である。
【図２５】第２実施形態の主制御基板ケースユニットにおけるシールカッター部材の斜視断面図である。
【図２６】第２実施形態の主制御基板ケースユニットにおいて、封印シールをボトム側封印部に貼着するときの状態を示す斜視図である。
【図２７】第２実施形態の主制御基板ケースユニットにおいて、シールカッター部材をボトム側封印部に装着するときの状態を示す斜視図である。
【図２８】第２実施形態の主制御基板ケースユニットにおいて、シールカッター部材をボトム側封印部に装着した状態を示す斜視断面図である。
【図２９】第２実施形態の主制御基板ケースユニットにおいて、トップ側封印部をボトム側封印部に位置合わせした状態を示す斜視図である。
【図３０】第２実施形態の主制御基板ケースユニットにおいて、ボトム側封印に対してトップ側封印部を閉止方向にスライド移動させた状態を示す斜視図である。
【図３１】第２実施形態の主制御基板ケースユニットにおいて、ボトム側封印に対してトップ側封印部を閉止方向にスライド移動させた状態を示す斜視断面図である。
【図３２】第２実施形態の主制御基板ケースユニットにおいて、トップ側封印部をボトム側封印部にスライド装着した状態を示す斜視図である。
【図３３】第２実施形態の主制御基板ケースユニットにおいて、トップ側封印部をボトム側封印部にスライド装着した状態を示す斜視断面図である。
【図３４】第２実施形態の主制御基板ケースユニットにおいて、トップ側分離部を破断した状態を示す斜視図である。
【図３５】第２実施形態の主制御基板ケースユニットにおいて、トップ側分離部を破断した状態を示す斜視断面図である。
【図３６】第２実施形態の主制御基板ケースユニットにおいて、カッター側分離部を破断した状態を示す斜視図である。
【図３７】第２実施形態の主制御基板ケースユニットにおいて、カッター側分離部を破断した状態を示す斜視断面図である。
【図３８】第２実施形態の主制御基板ケースユニットにおいて、ボトム側封印部に対してトップ側封印部を開放方向にスライド移動させた状態を示す斜視図である。
【図３９】第２実施形態の主制御基板ケースユニットにおいて、ボトム側封印部に対してトップ側封印部を開放方向にスライド移動させた状態を示す斜視断面図である。
【図４０】第２実施形態の主制御基板ケースユニットの変形例を示す斜視図です。
【図４１】第２実施形態の主制御基板ケースユニットの変形例において、（ａ）は封印シールを貼着した状態を示す斜視図、（ｂ）はシールカッター部材を装着した状態を示す斜視図である。
【図４２】第２実施形態の主制御基板ケースユニットの変形例おいて、トップケースの内面側を示す斜視図である。
【図４３】第２実施形態の主制御基板ケースユニットの変形例において、シールカッター部材を示す斜視図である。
【発明を実施するための形態】
【００１２】
以下、本発明の好ましい実施形態について図面を参照して説明する。本発明に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１３】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１４】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１５】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１６】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１７】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤２０が、上下のヒンジ機構３を介して前枠２後方に横開き開閉及び着脱が可能に連結されている。この裏セット盤２０には、前面開放の矩形箱状をなす裏セットカバー２０Ｃが着脱自在に装着されており、常には前枠２に取り付けられた遊技盤１０の裏面側を覆って配設されている（これにより後述する主制御基板ケースユニット３０などが裏セットカバー２０Ｃにより覆われる）。
【００１８】
裏セット盤２０の各部には、多数個の遊技球を貯留する球貯留タンク２１、球貯留タンク２１から右方に緩やかな下り傾斜を有して延びるタンクレール２２、タンクレール２２の右端部に繋がり下方に延びる球供給通路部材２３、球供給通路部材２３により導かれた遊技球を払い出す賞球払出ユニット２４、賞球払出ユニット２４から払い出された遊技球を上球皿６ａに導くための賞球通路部材２５などが設けられている。
【００１９】
遊技盤１０の背面側には、ぱちんこ遊技機ＰＭの作動を統括的に制御する主制御基板１１（主制御基板ケースユニット３０，１００）や、遊技展開に応じた画像表示、効果照明、効果音等の演出全般の制御を行う演出制御基板１２（演出制御基板ケースユニット２００）などが取り付けられている。これに対して、裏セット盤２０の背面側には、遊技球の発射及び払い出しに関する制御を行う払出制御基板１３（払出制御基板ケースユニット３００）や、遊技施設側から受電して各種制御基板や電気・電子部品に電力を供給する電源基板１４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００２０】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００２１】
［主制御基板ケースユニットの構成（第１実施形態）］
次に、第１実施形態に係る主制御基板ケースユニット３０の構成について図３を追加参照して説明する。ここで、図３は主制御基板ケースユニット３０の分解斜視図である。なお、以降の説明においては、説明の便宜のため、上下及び左右前後の方向は、ぱちんこ遊技機ＰＭへの取付状態での方向として、図３の状態を基準として定義しており、図３に示す矢印の方向をそれぞれ前後、左右、上下と称して説明する。
【００２２】
主制御基板ケースユニット３０は、ぱちんこ遊技機ＰＭにおける制御の中枢を担う前述の主制御基板１１と、主制御基板１１を内部に収容する略矩形容器状の基板ケース４０と、を主体として構成されている。
【００２３】
主制御基板１１は、詳細図示を省略しているが、矩形形状のプリント配線板を基板として、ＣＰＵ、ＲＯＭ及びＲＡＭ等の電子デバイス１１ａや抵抗、コンデンサ、コネクタ等の電子・電気部品が実装されて構成されている。この主制御基板１１は、基板ケース４０（後述するトップケース６０）の内面側にビス止め固定される。
【００２４】
基板ケース４０は、遊技盤１０の背面に着脱されるボトムケース５０と、このボトムケース５０に装着されるトップケース６０とを備えて構成されており、ボトムケース５０にトップケース６０を装着した閉止状態で前後整合するケース右端部及び左端部に、不正開放防止構造及び封印構造（共に詳細後述）が設けられている。ボトムケース５０及びトップケース６０は、互いの開口同士を相対向させた閉止状態で組み合わされて一体化される。ボトムケース５０及びトップケース６０は、共に無色透明な樹脂材料（例えば、ポリカーボネート等）を用いて射出成形等の成形手段により形成され、外部からでも基板ケース４０内を視認可能に構成されている。
【００２５】
ボトムケース５０は、底壁５１ａ及びこの底壁５１ａの周縁から立設される上下左右の側壁５１ｂを有して全体として後面開放の矩形箱状に形成されたボトムケース本体５１と、ボトムケース本体５１の右端部に一体的に形成されたボトム側ロック部５２と、ボトムケース本体５１の左端部に一体的に形成されたボトム側封印部５３とを有して構成される。ボトムケース本体５１の上下の側壁５１ｂには、底壁５１ａからそれぞれ後方に向けて突出するボトム側スライド係合部５１ｃが左右方向に並んで複数形成されている。
【００２６】
トップケース６０は、底壁６１ａ及びこの底壁６１ａの周縁から立設される上下左右の側壁６１ｂを有して全体として前面開放の矩形箱状に形成されたトップケース本体６１と、トップケース本体６１の右端部に連結部６２ｂを介して一体的に繋がるトップ側ロック部６２と、このトップケース本体６１の左端部に一体的に形成されたトップ側封印部６３とを有して、ボトムケース５０に対して左右方向（「スライド方向」とも称する）にスライド装着可能に構成されている。トップケース本体６１の上下の側壁６１ｂには、この側壁６１ｂが延びる長手方向（左右方向）に沿って前面側に開口してボトムケース５０のボトム側スライド係合部５１ｃを受容可能な凹溝状のトップ側溝部６１ｃが形成されるとともに、このトップ側溝部６１ｃ内においてボトムケース５０のボトム側スライド係合部５１ｃと係合可能なトップ側スライド係合部６１ｄが形成されている。トップケース６０には、主制御基板１１のコネクタ（図示省略）の実装位置に対応して表裏貫通するコネクタ挿抜口６１ｅが形成されており、主制御基板１１がトップケース６０に取り付けられた状態で、主制御基板１１のコネクタがコネクタ挿抜口６１ｅを通して外部に露出し、演出制御基板１２や払出制御基板１３等とハーネス（コネクタケーブル）を介して電気接続可能となる。
【００２７】
ボトムケース５０にトップケース６０を組み付けるには、ボトムケース５０に対してトップケース６０を左方に若干ずらした状態で前後方向に対向させて、トップケース６０のトップ側溝部６１ｃにボトムケース５０のボトム側スライド係合部５１ｃを挿入し、トップケース６０を右方向（以下において「閉止方向」とも称する）にスライド移動させることにより、ボトム側スライド係合部５１ｃとトップ側スライド係合部６１ｄとを係合させる。これにより、ボトムケース５０とトップケース６０とが互いの開口同士を相対向させた閉止状態で一体化される。そして、こうしてボトムケース５０にトップケース６０が組付けられた閉止状態において、前後に位置整合するボトム側ロック部５２とトップ側ロック部６２とを有して不正開放防止構造が構成されるとともに、同じく前後に位置整合するボトム側封印部５３とトップ側封印部６３とを有して封印構造が構成されている。
【００２８】
＜不正開放防止構造＞
まず、不正開放防止構造は、いわゆるカシメ構造とも称されて、従来から知られている構成であり、種々の構成が適宜採用されているが、本実施形態では、図３に示されているように、ボトムケース本体５１の右端部に設けられたボトム側ロック部５２と、トップケース本体６１の右端部に断面半円筒状の連結部６２ｂを介して設けられたトップ側ロック部６２と、ボトム側ロック部５２とトップ側ロック部６２とを係合連結するためのロック部材７０と、を有して構成されている。
【００２９】
ボトム側ロック部５２は、後方に向けて開口するボトム側ロック孔５２ａを有している。トップ側ロック部６２は、ボトム側ロック孔５２ａと前後に整合する位置に表裏貫通して形成されたトップ側ロック孔６２ａを有している。カシメ部材７０は、前後に延びる軸部７１と、この軸部７１よりも大径の円盤状に形成された操作部７２と、軸部７１に凹設されたピン収容孔（図示省略）内に設けられて軸部７１の中心軸と直交する方向に進退自在に支持された円筒状のロックピン７３とを有している。ロックピン７３は、ピン収容孔内に設けられたバネ（図示省略）の反発力によってピン先端部が軸部７１の外方に突出するよう付勢配設されている。
【００３０】
かかる構成の不正開放防止構造において、基板ケース４０が閉止されて、ボトム側ロック部５２とトップ側ロック部６２とを前後に対向して重ね合わせた状態で、ロック部材７０の軸部７１を本体側ロック孔５２ａ及び蓋側ロック孔６２ａに跨るように挿入して、ロック部材７０をボトム側ロック部５２とトップ側ロック部６２とに係合連結されることで、ボトムケース５０に対してトップケース６０が閉止状態で取り外し不能（開放不能）となる。なお、この状態から基板ケース４０を開放するには、トップケース本体６１とトップ側ロック部６２との間を繋ぐ連結部６２ｂを切断し、ロック部材７０を介してボトム側カシメ部５２と係合連結した状態のトップ側カシメ部６２をトップケース本体６１から切り離せばよい。これにより、トップケース６０をボトムケース５０に対して左方向（以下において「開放方向」とも称する）にスライド移動させて、基板ケース４０を開放することができる。
【００３１】
＜封印構造＞
続いて、封印構造について、図４〜図６を追加参照しながら説明する。ここで、図４は封印構造の分解斜視図、図５は封印シール８０の平面図、図６はシールカッター部材９０の斜視図である。なお、前述したように、ボトム側封印部５３及びトップ側封印部６３は、ボトムケース５０及びトップケース６０に一体的に形成されているが、図４〜図６においては、説明の理解を容易にするために、ボトム側封印部５３及びトップ側封印部６３を切り離した状態でこれらのみを取り出して示す。
【００３２】
封印構造は、ボトムケース本体５１の左端部に一体的に形成されたボトム側封印部５３と、トップケース本体６１の左端部に一体的に形成されたトップ側封印部６３と、ボトム側封印部５３に貼着される封印シール８０と、基板ケース４０の開放時に封印シール８０を破壊するためのシールカッター部材９０と、を主体として構成される。ボトム側封印部５３及びトップ側封印部６３は、基板ケース４０の閉止状態において前後に対向配置され、この対向状態においてボトム側封印部５３とトップ側封印部６３との間に封印シール８０が介在配置され、トップ側封印部６３の表面側に外部からシールカッター部材９０が装着されるようになっている。
【００３３】
ボトム側封印部５３は、ボトムケース本体５１の底壁５１ａから後方に向けて突設される凸状の台座部５４を有して形成される。この台座部５４における略コ字状に屈曲した外表面部分は、封印シール８０を貼着するためのシール貼着部５４ａをなし、このシール貼着部５４ａを分断するように３カ所の溝部５４ｂが左右方向（スライド方向）に延びて凹設されている。溝部５４ｂは、左右側方及び後方に亘って連続的に開口されており、ボトムケース５０に対してトップケース６０を開放方向に移動させる際に、シールカッター部材９０における破壊突起９４の通過路となる。また、台座部５４には、シール貼着部５４ａと左右方向（スライド方向）に所定間隔をあけて対峙する平板状のロック受部５５が立設されている。シール貼着部５４ａとロック受部５５との間には、シールカッター部材９０を基板ケース４０に装着したときに、シールカッター部材９０に形成されたロック片９６を受容するための凹状の受容空間５６が形成されている。
【００３４】
トップ側封印部６３は、トップケース本体６１の底壁６１ａの一部をなして形成されており、当該底壁６１ａから矩形に窪んだ段差部６４を有して構成されている。このトップ側封印部６３には、段差部６４を底面として上方に開放される浅底の凹部６５が形成されており、この凹部６５にシールカッター部材９０が装着されるようになっている。段差部６４には、シールカッター部材９０がトップ側封印部６３に装着された際に、シールカッター部材９０のカッター部９３と位置整合して当該カッター部９３を挿通するためのカッター挿通溝６６が表裏に貫通されるとともに、シールカッター部材９０のロック片９６と位置整合して当該ロック片９６を挿通するためのロック片挿通溝６７が表裏に貫通されている。
【００３５】
封印シール８０は、図５に示すように、矩形状のシート部材８１に、ＩＣチップ８２及びこれに繋がるアンテナ線８３が透明な樹脂フィルム８４によって覆われた状態で貼り付けられることで構成されており、紙製のシート部材８１の表面には識別情報としてのシリアル番号（図示せず）が印刷されている。ＩＣチップ８２はシート部材８１の表面の略中央に配設され、アンテナ線８３はシート部材８１の一方の対角線に沿って配設されている。ＩＣチップ８２は、ぱちんこ遊技機ＰＭや主制御基板１１に関する各種情報を記憶した電子素子であり、これに繋がって配設されたアンテナ線８３を介して基板ケース４０の外部からでもこれらの格納情報をリーダによって読み取り可能となっている。
【００３６】
また、シート部材８１の外縁には、ギザギザ状の切り込み８１ａが規則的に形成され、このシート部材８１を剥がすときに切り込み８１ａの谷部に応力集中が生じて破断され易いように形成されている。一方、樹脂フィルム８４の外周には、直線状の切り込み８４ａが規則的に形成され、封印シール８０が剥がされたときに、この切り込み８４ａに沿って樹脂フィルム８４と共にアンテナ線８３が破断され易く、これにより情報送信が不能となるように形成されている。なお、ＩＣチップ８２を備えた封印シール８０の代わりに、例えば、シート部材に固有の識別情報等を示すＱＲコード（登録商標：以下省略）を印刷によって付した封印シールを用いてもよい。
【００３７】
シールカッター部材９０は、例えば無色透明な樹脂材料（例えば、ポリカーボネート等）を用いて射出成形等の成形手段により形成されている。シールカッター部材９０は、図６に示すように、トップ側封印部６３の凹部６５とほぼ整合する形状をなす矩形の基部板９１と、基部板９１の裏面側に一体的に形成されて封印シール８０を破断するためのカッター部９３と、基部板９１の裏面側に一体的に形成されて基部板９１と直交する方向に延びるロック片９６とを有している。
【００３８】
基部板９１には、複数個のスリット９２ａがミシン目状に間欠的に配置されてなる分離部９２が打ち抜き加工等によって形成されており、これら複数個のスリット９２ａに取り囲まれて、ボトムケース５０に対するトップケース６０の開放方向へのスライド移動を拘束するためのロック片９６が立設されている。ロック片９６は、基部板９１の裏面側から基板ケース４０のスライド方向と直交する方向に延出しており、シールカッター部材９０が基板ケース４０に装着された状態において、ボトム側封印部５３の受容空間５６内に挿入されてロック受部５５とスライド方向に近接対向するようになっている。分離部９２は、外部からニッパ等の工具を用いて破断可能に形成されており、ロック片９６をシールカッター部材９０の他の部分から区分している。つまり、分離部９２が複数個のスリット９２ａに沿って破断されることにより、ロック片９６をシールカッター部材９０から分離可能に構成されている。
【００３９】
カッター部９３は、先端部が尖鋭な刃状に形成された３カ所の破壊突起９４と、基部板９１と直交する方向に延出して破壊突起９４の基端部を保持する保持板９５とから形成される。破壊突起９４は、ボトム側封印部５３における溝部５４ｂの溝幅よりも小さく形成されており、３カ所の破壊突起９４の配置間隔は、３カ所の溝部５４ｂの配置間隔と略同一に設定されている。
【００４０】
シールカッター部材９０は、トップ側封印部６３の凹部６５に装着された状態（基部板９１の裏面と段差部６４の表面とが当接した状態）で、例えば超音波溶着や振動溶着などの所定の溶着手段によって、基部板９１の一部分が段差部６４に溶着固定される。なお、基部板９１の一部分（溶着部分）としては、当該一部分をトップ側封印部６３に溶着したとしても、分離部９２を破断することでシールカッター部材９０からロック片９６を取り除くことができるとともに、シールカッター部材９０から分離部９２を取り除いた残りの部分がトップ側封印部６３に固定された状態で維持できるものであれば、その範囲は特に限定されない。ここで、シールカッター部材９０をトップ側封印部６３に装着するときは、シールカッター部材９０の破壊突起９４とボトム側封印部５３に貼着された封印シール８０とは左右方向（スライド方向）にずれて接触しないため、破壊突起９４によって封印シール８０が破断されることはない。他方、シールカッター部材９０をトップケース６０と一体的に開放方向へスライド移動させると、該スライド方向から見て破壊突起９４と封印シール８０とは互いに重なる位置関係となっているので、破壊突起９４が封印シール８０に接触してこれを破断することとなる。
【００４１】
次に、このように構成される主制御基板ケースユニット３０において、基板ケース４０を閉止するときの作用を説明する。ここで、図７は封印シール８０をボトム側封印部５３に貼着するときの状態を示す斜視図、図８はトップ側封印部６３をボトム側封印部５３に位置合わせした状態を示す斜視図、図９はボトム側封印５３に対してトップ側封印部６３を閉止方向にスライド移動させている状態を示す斜視図、図１０はボトム側封印５３に対してトップ側封印部６３をスライド装着した状態を示す斜視図、図１１はシールカッター部材９０を装着するときの状態を示す斜視断面図、図１２はシールカッター部材９０を装着した状態を示す斜視断面図、図１３はシールカッター部材９０をトップ側封印部６３に溶着した状態を示す斜視図である。
【００４２】
まず、基板ケース４０を組み立てるには、図７に示すように、前もって、ボトム側封印部５３のシール貼着部５４ａに封印シール８０を略コ字状に折り曲げて貼着する。封印シール８０がシール貼着部５４ａに貼着されると、封印シール８０によってボトム側封印部５３の３カ所の溝部５４ｂの開口全体が覆われて、封印シール８０のアンテナ線８３が３カ所の溝部５４ｂ上を横断するように配置される。
【００４３】
続いて、図８に示すように、トップ側封印部６３（トップケース６０）をボトム側封印部５３（ボトムケース５０）に対して、左方に若干ずらした位置で重なり合わせる。この状態から、図９及び図１０に示すように、トップ側封印部６３（トップケース６０）をボトム側封印部５３（ボトムケース５０）に対して閉止方向にスライド移動させて、トップケース６０をボトムケース５０にスライド装着する。これにより、ボトム側スライド係合部５１ｃとトップ側スライド係合部６１ｄとが係合し、ボトムケース５０とトップケース６０とが互いの開口同士を相対向させた閉止状態で一体化される。
【００４４】
一方、ボトムケース５０にトップケース６０をスライド装着したとき、不正開放防止構造においては、ボトム側ロック部５２とトップ側ロック部６２とが前後に重なり合い、この状態でロック部材７０をトップ側ロック孔６２ａとボトム側ロック孔５２ａとに跨るように挿入することで、このロック部材７０を介してトップ側ロック部６２とボトム側ロック部５２とが連結し、トップケース６０がボトムケース５０に（連結部６２ｂを切り離さない限りは）開放不能に装着される。
【００４５】
このように基板ケース４０が閉止状態になると、トップケース６０をボトムケース５０に対して開放方向にスライド移動させようとしても、ロック部材７０がトップ側ロック部６２とボトム側ロック部５２とに跨って挿入されているため、当該スライド移動が規制される。
【００４６】
次いで、図１１に示すように、シールカッター部材９０をトップ側封印部６３に位置合わせし、シールカッター部材９０をトップ側封印部６３の凹部６５に装着する。これにより、シールカッター部材９０の基部板９１の裏面とトップ側封印部６３の段差部６４の表面とが互いに当接した重合状態となる。このようにシールカッター部材９０がトップ側封印部６３に装着された状態では、図１２に示すように、シールカッター部材９０のカッター部９３がトップ側封印部６３のカッター挿通溝６６に挿入されて封印シール８０とスライド方向に近接対向するとともに、ロック片９６がロック片挿通溝６７に挿入されて受容空間５６内でロック受部５５とスライド方向に近接対向する。
【００４７】
そして、図１３に示すように、シールカッター部材９０がトップ側封印部６３に装着された状態（重合状態）で、シールカッター部材９０の基部板９１の一部分（図１３では基部板９１の両サイド部分）とトップ側封印部６３の段差部６４とを超音波溶着して両者を接合固定する。超音波溶着では、超音波振動と同時に加圧力を加えることで両者を溶融して接合させる。なお、シールカッター部材９０とトップ側封印部６３の接合方法としては、超音波溶着に限定されず、振動溶着、高周波溶着、熱溶着、レーザ溶着などの他の溶着工法を利用してもよい。また、溶着工法に限定されず、例えばフェノール樹脂系やエポキシ系、エチレン系の接着剤等を用いて接着により接合させてもよい。
【００４８】
このように基板ケース４０が閉止状態に保持されると、基板ケース４０内に収容された主制御基板１１への外部からのアクセスは困難である。ここで、封印シール８０には、ＩＣチップ８２及びアンテナ線８３が実装されており、基板ケース４０の内部に収容された状態のままで、ＩＣチップ８２に格納された各種情報を、基板ケース４０を開放することなくリーダによって外部から読み取り可能である。
【００４９】
また、シールカッター部材９０をトップ側封印部６３に固定した状態では、トップ側封印部６３のカッター挿通溝６６およびロック片挿通溝６７がシールカッター部材９０の基部板９１によって遮蔽されるため、これらの開口を通じて基板ケース４０の内部に不正にアクセスするのは実質的に不可能となる。
【００５０】
次に、基板ケース４０を開放する際の作用について説明する。ここで、図１４はシールカッター部材９０の分離部９２を破壊する前の状態を示す斜視図、図１５はシールカッター部材９０の分離部９２を破壊した後の状態を示す斜視図、図１６はシールカッター部材９０の分離部９２を破壊した状態を示す斜視断面図、図１７はシールカッター部材９０により封印シール８０を破断している状態を示す斜視断面図である。
【００５１】
まず、基板ケース４０を開放するには、詳細図示を省略するが、不正開放防止構造におけるトップ側ロック部６２とトップケース本体６１との間を繋ぐ連結部６２ｂをニッパ等の工具を用いて切断し、ロック部材７０を介してボトム側ロック部５２と係合連結された状態のトップ側ロック部６２をトップケース本体６１から切り離す。
【００５２】
ここで、本実施形態では、この状態からトップケース６０をボトムケース５０に対して開放方向にスライド移動させようとしても、封印構造において、シールカッター部材９０のロック片９６がボトム側封印部５３のロック受部５５と当接してトップケース６０を定位置（閉止状態）にロックするため、前述のように不正開放防止構造における連結部６２ｂを切断しただけでは、当該スライド移動は拘束されたままである。
【００５３】
そこで、まず始めに、図１４及び図１５に示すように、シールカッター部材９０の分離部９２をニッパ等の工具を用いて複数個のスリット９２ａに沿って破断する。これにより、分離部９２を介して基部板９１と連結された状態のロック片９６がシールカッター部材９０から分離され、その結果として、ロック受部５５と協働してトップケース６０の開放方向へのスライド移動を拘束していたロック片９６がシールカッター部材９０から取り除かれる。これにより、ボトムケース５０とトップケース６０との連結が絶たれ、基板ケース４０が開放可能な状態となる。
【００５４】
ここで、基板ケース４０が閉止された状態では、図１６に示すように、シールカッター部材９０の破壊突起９４は、封印シール８０と接触しておらずスライド方向に所定間隔をあけて近接対向している。前述したように、トップケース６０（トップ側封印部６３）とシールカッター部材９０とは溶着によって一体的に連結固定されているため、トップケース６０を開放方向にスライド移動させると、シールカッター部材９０もトップケース６０と一体化された状態で開放方向へ移動することとなる。
【００５５】
このとき、ボトム側封印部５３の溝部５４ｂは、破壊突起９４の移動軌跡に対応する位置に凹設され、この溝部５４ｂ上を横断するようにして封印シール８０が貼着されているので、トップケース６０と共にシールカッター部材９０を開放方向にスライド移動させると、図１７に示すように、シールカッター部材９０の破壊突起９４が封印シール８０に接触して当該スライド方向に沿って封印シール８０を破断しながら溝部５４ｂを通過することとなる。このように封印シール８０を切り裂けば、ＩＣチップ８２そのものを破壊できなくても、アンテナ線８３を破壊することができ、ＩＣチップ８２に格納された各種情報が実質的に読み取り不能となるため、これにより不正アクセスの痕跡を残存させることができるとともに、封印シール８０を再使用不能な程度に破壊することができる。
【００５６】
そして、このようにトップケース６０及びシールカッター部材９０を開放方向にスライド移動させて封印シール８０を破壊した後、ボトムケース５０のボトム側スライド係合部５１ｃがトップケース６０のトップ側溝部６１ｃから抜去される所定位置まで到達したところで、トップケース６０をボトムケース５０に対して後方に離間させれば、ボトムケース５０からトップケース６０が取り外される。
【００５７】
こうして取り外されたトップケース６０には、シールカッター部材９０が溶着（例えば、超音波溶着）によって一体的に結合されているので、この結合状態のトップケース６０とシールカッター部材９０とを互いに分離させようとすると（無理やり引き剥がそうとすると）、それぞれの溶着部分に何らかの破壊の痕跡が明瞭に残存し、無傷の状態で再使用できなくなる。また、シールカッター部材９０には、複数個のスリット９２ａに沿って分離部９２が破断された痕跡（基板ケース４０が開放されたことを示す痕跡としてロック片９６の消失）が明瞭に残存するため、不正な使い回しができなくなる。そのため、複数の中古機等から同型の基板ケース（４０）を取り出し、これらの中からケース構成部品を無傷の状態でそれぞれ抽出して適宜に組み合わせることで、１個の新たな基板ケース（４０）を複製しこれを正規品とすり替える、所謂二個一（ニコイチ）と称される不正行為に利用されたとしても、トップケース６０、シールカッター部材９０及び封印シール８０には破壊痕が明瞭に残存しているため、その不正行為を容易に見破ることができる。
【００５８】
以上、第１実施形態に係る主制御基板ケースユニット３０によれば、トップケース６０、シールカッター部材９０及び封印シール８０を破壊することなく、基板ケース４０を開放することができない構造となるため、基板ケース４０が開放された場合にはその痕跡を明瞭に残存させて該不正行為を早期に発見することができるとともに、基板ケース４０の構成部品を破壊痕のない状態で使い回し出来なくなるので所謂二個一（ニコイチ）と称される不正行為を未然に防止することが可能である。また、基板ケース４０の内部に隠蔽されたかたちでロック片９６とロック受部５５とが当接してボトムケース５０に対するトップケース６０のスライド移動を拘束する構成であるため、基板ケース４０の外部からロック片９６及びロック受部５５にアクセスして当該ロック状態（当接状態）を解除するのは非常に困難であり、基板ケース４０の不正な開放を厳重に抑止して主制御基板１１に対する不正な改造行為を受け難くすることが可能である。従って、本実施形態によれば、不正行為の予防及び早期発見に寄与することが可能になるという効果を奏する。
【００５９】
また、第１実施形態に係る主制御基板ユニット３０ではトップケース６０の外部からシールカッター部材９０を組み付ける構成であるため、シールカッター部材（１６０）をトップケース（１３０）の内部に配置して両者を係合連結させる構成（第２実施形態を参照）と比較して、シールカッター部材９０にトップケース６０との係合構造を設ける必要がなく簡便な構成にできるとともに、シールカッター部材９０の小型コンパクト化を実現できる。さらに、シールカッター部材９０はトップケース６０の外部に露出した状態で組み付けられることで、シールカッター部材９０をトップケース６０と同色（無色透明）の樹脂で形成したとしても、シールカッター部材９０がトップケース６０に組み付けられていることを外観上明瞭に識別できる。
【００６０】
ここで、上述の第１実施形態において、より効果的に所謂二個一（ニコイチ）と称される不正行為の予防を実行あらしめるために、図１８に示すように、シールカッター部材９０とトップケース６０（トップ側封印部６３）との表面に跨って所定のマーキング（割り印）が施される構成としてもよい。この構成を採用するにあたり、基板ケース４０において、シールカッター部材９０を形成する合成樹脂と、トップケース６０を形成する合成樹脂とに、所定波長のレーザ光（例えば、ＹＡＧレーザ等の光）を吸収して周囲の合成樹脂を黒色（不透明）に変化させる添加剤が添加されたものとなっている。これにより、シールカッター部材９０及びトップケース６０の表面には、所定波長のレーザ光の照射により例えば黒色のマーキングが可能となっている。
【００６１】
このような基板ケース４０では、シールカッター部材９０がトップケース６０に組み付けられると、図１８に示すように、シールカッター部材９０の基部板９１の表面とトップケース６０（トップ側封印部６３）の表面とに跨って、シールカッター部材９０とトップケース６０とを互いに関連付けるマーキング群Ｍ（Ｍ１，Ｍ２）が形成されるようになっている。このマーキング群Ｍは、前述の所定波長のレーザ光でマーキングが施されたものである。マーキング群Ｍは、例えば、文字、記号、図形もしくは模様又はこれらの組合せからなり、全体で一つの意味をもつものであり、同一機種における別のぱちんこ遊技機に備えられた基板ケース４０とは異なる態様となるように、シールカッター部材９０とトップケース６０との組合せにおいて両者の境界を跨るようマーキングされたものである。換言すると、マーキング群Ｍは、同一の基板ケース４０に属するシールカッター部材９０とトップケース６０とを１対１の関係で対応付けるものとなっている。なお、マーキング群Ｍの具体例としては、ぱちんこ遊技機ＰＭを特定するシリアル番号であって、アルファベットと数字とからなる文字などが採用される。
【００６２】
これにより、基板ケース４０からオリジナルのシールカッター部材９０が取り外され、別の基板ケース（４０）から取り外された非オリジナルのシールカッター部材（９０）がトップケース６０の凹部６５に組み付けられても、トップケース６０に刻印されたマーキング群Ｍ１と、非オリジナルのシールカッター部材（９０）のマーキング群とが整合しないので、別の基板ケース（４０）から取り外したシールカッター部材（９０）の使用が簡単且つ明瞭に判別可能になっている。そのため、基板ケース４０の使い回しが出来なくなるので、所謂二個一（ニコイチ）と称される不正行為をより効果的に予防することが可能である。
【００６３】
なお、マーキング群Ｍとしては、複数種類の文字を組み合わせたものに限定されず、記号、図形もしくは模様からなるもの、あるいは、文字、記号、図形もしくは模様又はこれらの組合せからなるものでもよく、さらにバーコードやＱＲコードなどでもよい。
【００６４】
ところで、基板ケース４０には、二組の不正開放防止構造が設けられているが、ロック部材７０を介してボトム側ロック部５２とトップ側ロック部６２とを連結させて基板ケース４０を閉止状態に固定保持するためには、いずれか一組の不正開放防止構造を使用すればよい。そのため、いずれか一組の不正開放防止構造が使用の結果として基板ケース４０の開放のため破壊されたとしても、残りの一組は未だ使用が可能である。ただし、基本的には、保守点検等の正当な目的により一組の不正開放防止構造を破壊して基板ケース４０を開放した場合には、速やかに新品の基板ケース４０と交換することになっており、その場合には、新品交換までの繋ぎ（仮使用）として、残り一組の不正開放防止構造を用いて既存の基板ケース４０を再度閉止することになる。なお、この仮使用では、基板ケース４０の構成部品をそのまま利用することになるため、ボトムケース５０には前回の開放で破断された状態の封印シール８０がそのまま貼着されており、シールカッター部材９０が固定された状態（ロック片９６が取り除かれた状態）でトップケース６０をボトムケース５０にスライド装着する。そして、予備のロック部材７０により残り一組のボトム側ロック部５２とトップ側ロック部５３とを連結させることで、基板ケース４０が再び閉止状態に保持され、トップケース６０の連結部６２ｂを破断しない限りは基板ケース４０を開放できない状態となるため、仮使用の期間であっても不正行為に対するセキュリティは維持される。
【００６５】
［主制御基板ケースユニットの構成（第２実施形態）］
次に、第２実施形態に係る主制御基板ケースユニット１００の構成について図１９を追加参照して説明する。ここで、図１９は主制御基板ケースユニット１００の分解斜視図である。なお、以降の説明においては、説明の便宜のため、上下及び左右前後の方向は、ぱちんこ遊技機ＰＭへの取付状態での方向として、図１９の状態を基準にして定義しており、図１９に示す矢印の方向をそれぞれ前後、左右、上下と称して説明する。
【００６６】
主制御基板ケースユニット１００は、ぱちんこ遊技機ＰＭにおける制御の中枢を担う前述の主制御基板１１と、主制御基板１１を内部に収容する略矩形容器状の基板ケース１１０と、を主体として構成されている。
【００６７】
主制御基板１１は、詳細図示を省略しているが、矩形形状のプリント配線板を基板として、ＣＰＵ、ＲＯＭ及びＲＡＭ等の電子デバイス１１ａや抵抗、コンデンサ、コネクタ等の電子・電気部品が実装されて構成されている。この主制御基板１１は、基板ケース１１０（後述するトップケース１３０）の内面側にビス止め固定される。
【００６８】
基板ケース１１０は、遊技盤１０の背面に着脱されるボトムケース１２０と、このボトムケース１２０に着脱自在に取り付けられるトップケース１３０とを備えて構成されており、ボトムケース１２０にトップケース１３０を装着した閉止状態で前後整合するケース右端部及び左端部に、不正開放防止構造及び封印構造（共に詳細後述）が設けられている。ボトムケース１２０及びトップケース１３０は、互いの開口同士を相対向させた閉止状態で組み合わされて一体化される。ボトムケース１２０及びトップケース１３０は、共に無色透明な樹脂材料（例えば、ポリカーボネート等）を用いて射出成形等の成形手段により形成され、外部からでも基板ケース１１０内を視認可能に構成されている。
【００６９】
ボトムケース１２０は、底壁１２１ａ及びこの底壁１２１ａの周縁から立設される上下左右の側壁１２１ｂを有して全体として後面開放の矩形箱状に形成されたボトムケース本体１２１と、ボトムケース本体１２１の右端部に一体的に形成されたボトム側ロック部１２２と、ボトムケース本体１２１の左端部に一体的に形成されたボトム側封印部１２３とを有して構成される。ボトムケース本体１２１の上下の側壁１２１ｂには、底壁１２１ａからそれぞれ後方に向けて突出するボトム側スライド係合部１２１ｃが左右方向に並んで複数形成されている。
【００７０】
トップケース１３０は、底壁１３１ａ及びこの底壁１３１ａの周縁から立設される上下左右の側壁１３１ｂを有して全体として前面開放の矩形箱状に形成されたトップケース本体１３１と、トップケース本体１３１の右端部に連結部１３２ｂを介して一体的に繋がるトップ側ロック部１３２と、このトップケース本体１３１の左端部に一体的に形成されたトップ側封印部１３３とを有して、ボトムケース１２０に対して左右方向（「スライド方向」とも称する）にスライド装着可能に構成されている。トップケース本体１３１の上下の側壁１３１ｂには、この側壁１３１ｂが延びる長手方向（左右方向）に沿って前面側に開口してボトムケース１２０のボトム側スライド係合部１２１ｃを受容可能な凹溝状のトップ側溝部１３１ｃが形成されるとともに、このトップ側溝部１３１ｃ内においてボトムケース１２０のボトム側スライド係合部１２１ｃと係合可能なトップ側スライド係合部１３１ｄが形成されている。トップケース１３０には、主制御基板４１のコネクタ（図示省略）の実装位置に対応して表裏貫通するコネクタ挿抜口１３１ｅが形成されており、主制御基板４１がトップケース１３０に取り付けられた状態で、主制御基板４１のコネクタがコネクタ挿抜口１３１ｅを通して外部に露出し、演出制御基板４２や払出制御基板４３等とハーネス（コネクタケーブル）を介して電気接続可能となる。
【００７１】
ボトムケース１２０にトップケース１３０を組み付けるには、ボトムケース１２０に対してトップケース１３０を左方に若干ずらした状態で前後方向に対向させて、トップケース１３０のトップ側溝部１３１ｃにボトムケース１２０のボトム側スライド係合部１２１ｃを挿入し、トップケース１３０を右方向（以下において「閉止方向」とも称する）にスライド移動させることにより、ボトム側スライド係合部１２１ｃとトップ側スライド係合部１３１ｄとを係合させる。これにより、ボトムケース１２０とトップケース１３０とが互いの開口同士を相対向させた閉止状態で一体化される。そして、こうしてボトムケース１２０にトップケース１３０が組付けられた閉止状態において、前後に位置整合するボトム側ロック部１２２とトップ側ロック部１３２とを有して不正開放防止構造が構成されるとともに、同じく前後に位置整合するボトム側封印部１２３とトップ側封印部１３３とを有して封印構造が構成されている。
【００７２】
＜不正開放防止構造＞
まず、不正開放防止構造は、いわゆるカシメ構造とも称されて、従来から知られている構成であり、種々の構成が適宜採用されているが、本実施形態では、図１９に示されているように、ボトムケース本体１２１の右端部に設けられたボトム側ロック部１２２と、トップケース本体１３１の右端部に断面半円筒状の連結部１３２ｂを介して設けられたトップ側ロック部１３２と、ボトム側ロック部１２２とトップ側ロック部１３２とを係合連結するためのロック部材１４０と、を有して構成されている。
【００７３】
ボトム側ロック部１２２は、後方に向けて開口するボトム側ロック孔１２２ａを有している。トップ側ロック部１３２は、ボトム側ロック孔１２２ａと前後に整合する位置に表裏貫通して形成されたトップ側ロック孔１３２ａを有している。カシメ部材１４０は、前後に延びる軸部１４１と、この軸部１４１よりも大径の円盤状に形成された操作部１４２と、軸部１４１に凹設されたピン収容孔（図示省略）内に設けられて軸部１４１の中心軸と直交する方向に進退自在に支持された円筒状のロックピン１４３とを有している。ロックピン１４３は、ピン収容孔内に設けられたバネ（図示省略）の反発力によってピン先端部が軸部１４１の外方に突出するよう付勢配設されている。
【００７４】
かかる構成のカシメ構造において、基板ケース１１０が閉止されて、ボトム側ロック部１２２とトップ側ロック部１３２とを前後に対向して重ね合わせた状態で、ロック部材１４０の軸部１４１を本体側ロック孔１２２ａ及び蓋側ロック孔１３２ａに跨るように挿入して、ロック部材１４０をボトム側ロック部１２２とトップ側ロック部１３２とに係合連結されることで、ボトムケース１２０に対してトップケース１３０が閉止状態で取り外し不能（開放不能）となる。なお、この状態から基板ケース１１０を開放するには、トップケース本体１３１とトップ側ロック部１３２との間を繋ぐ連結部１３２ｂを切断し、ロック部材１４０を介してボトム側カシメ部１２２と係合連結した状態のトップ側カシメ部１３２をトップケース本体１３１から切り離せばよい。これにより、トップケース１３０をボトムケース１２０に対して左方向（以下において「開放方向」とも称する）にスライド移動させて、基板ケース１１０を開放することができる。
【００７５】
＜封印構造＞
続いて、封印構造について図２０〜図２５を追加参照しながら説明する。ここで、図２０はボトム側封印部１２３の斜視図、図２１はボトム側封印部１２３の斜視断面図、図２２はトップ側封印部１３３の斜視図、図２３はトップ側封印部１３３の斜視断面図、図２４はシールカッター部材１６０の斜視図、図２５はシールカッター部材１６０の斜視断面図である。なお、前述したように、ボトム側封印部１２３及びトップ側封印部１３３は、ボトムケース１２０及びトップケース１３０に一体的に形成されているが、図２０〜図２５においては、説明の理解を容易にするために、ボトム側封印部１２３及びトップ側封印部１３３を切り離した状態でこれらのみを取り出して示す。
【００７６】
封印構造は、ボトムケース本体１２１の左端部に一体的に形成されたボトム側封印部１２３と、トップケース本体１３１の左端部に一体的に形成されたトップ側封印部１３３と、ボトム側封印部１２３に貼着される封印シール１５０と、基板ケース１１０の開放時に封印シール１５０を破壊するためのシールカッター部材１６０と、を主体として構成される。ボトム側封印部１２３及びトップ側封印部１３３は、基板ケース１１０の閉止状態において前後に対向配置され、この対向状態においてボトム側封印部１２３とトップ側封印部１３３との間に封印シール１５０及びシールカッター部材１６０が介在配置されている。
【００７７】
ボトム側封印部１２３は、ボトムケース本体１２１の底壁１２１ａから後方に向けて突設される凸状の台座部１２４を有して形成される。この台座部１２４における略コ字状に屈曲した外表面部分は、封印シール１５０を貼着するためのシール貼着部１２４ａをなし、このシール貼着部１２４ａを分断するように３カ所の溝部１２４ｂが左右方向（スライド方向）に延びて凹設されている。溝部１２４ｂは、左右側方及び後方に亘って連続的に開口されており、シールカッター部材１６０（後述する破壊突起１６２）の移動を許容するための通過路となる。また、台座部１２４には、シール貼着部１２４ａと左右方向（スライド方向）に所定間隔をあけて対峙する平板状のロック受部１２５が立設されている。シール貼着部１２４ａとロック受部１２５との間には、シールカッター部材１６０をボトム側封印部１２３に装着したときに、シールカッター部材１６０に形成されたロック片１６６及び阻止片１６７を受容するための凹状の受容空間１２６が形成されている。
【００７８】
封印シール１５０は、図５に示すように、矩形状のシート部材１５１に、ＩＣチップ１５２及びこれに繋がるアンテナ線１５３が透明な樹脂フィルム１５４によって覆われた状態で貼り付けられることで構成されており、紙製のシート部材１５１の表面には識別情報としてのシリアル番号（図示せず）が印刷されている。ＩＣチップ１５２はシート部材１５１の表面の略中央に配設され、アンテナ線１５３はシート部材１５１の一方の対角線に沿って配設されている。ＩＣチップ１５２は、ぱちんこ遊技機ＰＭや主制御基板１１に関する各種情報を記憶した電子素子であり、これに繋がって配設されたアンテナ線１５３を介して基板ケース１１０の外部からでもこれらの格納情報をリーダによって読み取り可能となっている。
【００７９】
また、シート部材１５１の外縁には、ギザギザ状の切り込み１５１ａが規則的に形成され、このシート部材１５１を剥がすときに切り込み１５１ａの谷部に応力集中が生じて破断され易いように形成されている。一方、樹脂フィルム１５４の外周には、直線状の切り込み１５４ａが規則的に形成され、封印シール１５０が剥がされたときに、この切り込み１５４ａに沿って樹脂フィルム１５４と共にアンテナ線１５３が破断され易く、これにより情報送信が不能となるように形成されている。
【００８０】
シールカッター部材１６０は、有色透明な合成樹脂材料を用いて射出成形等の成形手段により形成され、無色透明なボトムケース１２０及びトップケース１３０と識別可能に構成されている。シールカッター部材１６０は、図２４及び図２５に示すように、基壁１６１ａ及びこの基壁１６１ａの周縁からこれと直交する方向に延びる３カ所の側壁１６１ｂを有して前方及び右方に開放された略矩形箱状の保護カバー部１６１と、基壁１６１ａの内面側の右端部に突出形成された３カ所の破壊突起１６２と、を有して構成されており、基板ケース１１０の閉止状態において保護カバー部１６１により封印シール１５０を包囲して保護する一方、基板ケース１１０の開放時には破壊突起１６２により封印シール１５０を再使用不能な程度に破壊する機能を備えている。保護カバー部１６１における上下の各側壁１６１ｂには、後述するトップ側封印部１３３の係合アーム１３５と係合可能な凸状の被係合部１６３が形成されている。
【００８１】
シールカッター部材１６０は、ボトム側封印部１２３に対して前後方向及び左右方向に着脱可能に構成されている。ここで、シールカッター部材１６０をボトム側封印部１２３に対して前後方向（スライド方向と直交する方向）に相対移動させて着脱するときは、破壊突起１６２と封印シール１５０とは左右方向にずれていて接触しないため、破壊突起１６２によって封印シール１５０が破断されることはない。つまり、封印シール１５０を何ら傷付けることなくシールカッター部材１６０を着脱することができる。他方、シールカッター部材１６０をボトム側封印部１２３に対して左右方向（スライド方向）に相対移動させて着脱するときは、該方向から見て破壊突起１６２と封印シール１５０とが重なっているので、破壊突起１６２が封印シール１５０に接触してこれを破壊することとなる。
【００８２】
また、保護カバー部１６１の基壁１６１ａには、複数個のスリット１６４ａがミシン目状に間欠的に配置されてなるカッター側分離部１６４が打ち抜き加工等によって形成されており、これら複数個のスリット１６４ａに取り囲まれて、トップケース１３０の開放方向へのスライド移動を拘束するためのスライドロック部１６５が形成されている。スライドロック部１６５には、基壁１６１ａの内面側からスライド方向と直交する方向（前方）に延出する平板状のロック片１６６と、基壁１６１ａの内面側からロック片１６６と平行に延びる平板状の阻止片１６７と、が設けられている。ロック片１６６は、シールカッター部材１６０がボトム側封印部１２３に装着されたときにボトム側封印部１２３の受容空間１２６内に挿入されてロック受部１２５とスライド方向に対峙する。カッター側分離部１６４は、外部からニッパ等の工具を用いて破断可能に形成されており、スライドロック部１６５をシールカッター部材１６０の他の部分から区分している。つまり、カッター側分離部１６４が複数個のスリット１６４ａに沿って破断されることにより、スライドロック部１６５をシールカッター部材１６０から分離可能に構成されている。
【００８３】
トップ側封印部１３３は、トップケース本体１３１と連なって形成され、図２２及び図２３に示すように、基壁１３４ａ（トップケース本体１３１の底壁１３１ａの一部をなす）及びこの基壁１３４ａの周縁からこれと直交する方向に延びる３カ所の側壁１３４ｂを有して前方及び右方に開放された略矩形箱状のトップ側収容部１３４と、上下の各側壁１３４ｂに左右に延びる直線状の切り込みを入れることで板厚方向に弾性変形が可能な係合アーム１３５と、を有して構成される。
【００８４】
係合アーム１３５は、基板ケース１１０の閉止状態においてシールカッター部材１６０の被係合部１６３と係合可能に構成されている。従って、基板ケース１１０の閉止状態から、トップケース１３０をボトムケース１２０に対して開放方向にスライド移動させると、ボトム側封印部１２３に仮止めされていたシールカッター部材１６０がこのボトム側封印部１２３から離脱して互いに係合関係にあるトップ側封印部１３３（トップケース１３０）と共に一体的に開放方向へ移動するようになっている。
【００８５】
また、トップ側封印部１３３の基壁１３４ａには、複数個のスリット１３６ａがミシン目状に間欠的に配置されてなるトップ側分離部１３６が打ち抜き加工等によって形成されており、これら複数個のスリット１３６ａに取り囲まれて遮蔽部１３７が形成されている。この遮蔽部１３７は、基板ケース１１０の閉止状態において、シールカッター部材１６０のスライドロック部１６５と整合する位置に設けられている。トップ側分離部１３６は、外部からニッパ等の工具を用いて破断可能に形成されており、遮蔽部１３７をトップ側封印部１３３の他の部分から区分している。つまり、トップ側分離部１３６が複数個のスリット１３６ａに沿って破断されることにより、遮蔽部１３７をトップ側封印部１３３から分離可能であり、その結果として、基壁１３４ａから遮蔽部１３７が取り除かれた部分に、略矩形状の開口１３８（図３３及び図３４を参照）が開設され、この開口１３８を通じてシールカッター部材１６０のカッター側分離部１６４にアクセスが可能となる。
【００８６】
次に、このように構成される主制御基板ケースユニット１００において、基板ケース１１０を閉止するときの作用を説明する。ここで、図２６は封印シール１５０をボトム側封印部１２３に貼着するときの状態を示す斜視図、図２７はシールカッター部材１６０をボトム側封印部１２３に装着するときの状態を示す斜視図、図２８はシールカッター部材１６０をボトム側封印部１２３に装着した状態を示す斜視断面図、図２９はトップ側封印部１３３をボトム側封印部１２３に位置合わせした状態を示す斜視図、図３０はボトム側封印部１２３に対してトップ側封印部１３３を閉止方向にスライド移動させた状態を示す斜視図、図３１はボトム側封印１２３に対してトップ側封印部１３３を閉止方向にスライド移動させた状態を示す斜視断面図、図３２はトップ側封印部１３３をボトム側封印部１２３にスライド装着した状態を示す斜視図、図３３はトップ側封印部１３３をボトム側封印部１２３にスライド装着した状態を示す斜視断面図、図３４はトップ側分離部１３６を破断した状態を示す斜視図、図３５はトップ側分離部１３６を破断した状態を示す斜視断面図、図３６はカッター側分離部１６４を破断した状態を示す斜視図、図３７はカッター側分離部１６４を破断した状態を示す斜視断面図、図３８はボトム側封印部１２３に対してトップ側封印部１３３を開放方向にスライド移動させた状態を示す斜視図、図３９はボトム側封印部１２３に対してトップ側封印部１３３を開放方向にスライド移動させた状態を示す斜視断面図、である。なお、図２６〜図３９においても、説明の理解を容易にするために、ボトム側封印部１２３及びトップ側封印部１３３を切り離した状態でこれらのみを取り出して示す。
【００８７】
まず、基板ケース１１０を組み立てるには、図２６に示すように、前もって、ボトム側封印部１２３のシール貼着部１２４ａに封印シール１５０を略コ字状に折り曲げて貼着する。封印シール１５０がシール貼着部１２４ａに貼着されると、封印シール１５０によってボトム側封印部１２３の３カ所の溝部１２４ｂの開口全体が覆われて、封印シール１５０のアンテナ線１５３が３カ所の溝部１２４ｂ上を横断するように配置される。
【００８８】
続いて、図２７に示すように、封印シール１５０が貼着された状態のボトム側封印部１２３にシールカッター部材１６０を位置合わせし、このシールカッター部材１６０をボトム側封印部１２３に被せる（仮止めする）。シールカッター部材１６０がボトム側封印部１２３に装着されて状態では、図２８に示すように、シールカッター部材１６０のロック片１６６及び阻止片１６７がボトム側封印部１２３の受容空間１２６内に挿入されて、ロック片１６６とロック受部１２５とがスライド方向に対峙する。また、シールカッター部材１６０の破壊突起１６２が封印シール１５０に近接配置される。
【００８９】
続いて、図２９に示すように、トップ側封印部１３３（トップケース１３０）をボトム側封印部１２３（ボトムケース１２０）に対して、左方に若干ずらした位置で重なり合わせる。この状態から、図３０及び図３１に示すように、トップ側封印部１３３（トップケース１３０）をボトム側封印部１２３（ボトムケース１２０）に対して閉止方向にスライド移動させて、トップケース１３０をボトムケース１２０にスライド装着する。
【００９０】
トップケース１３０をボトムケース１２０に組み付けた状態では、図３２及び図３３に示すように、トップ側封印部１３３の保護カバー部１３４が、シールカッター部材１６０、封印シール１５０及びボトム側封印部１２３を一括して包囲するとともに、トップ側分離部１３６とカッター側分離部１６４とが互いに位置整合することとなる。また、このときトップ側封印部１３３の係合アーム１３５がシールカッター部材１６０の被係合部１６３に係合されて、トップ側封印部１３３（トップケース１３０）がシールカッター部材１６０に対して相対移動不能に連結される。
【００９１】
一方、不正開放防止構造においては、詳細図示を省略するが、ボトムケース１２０にトップケース１３０をスライド装着したとき、ボトム側ロック部１２２とトップ側ロック部１３２とが前後に重なり合い、この状態でロック部材１４０をトップ側ロック孔１３２ａとボトム側ロック孔１２２ａとに跨るように挿入することで、このロック部材１４０を介してトップ側ロック部１３２とボトム側ロック部１２２とが連結し、トップケース１３０がボトムケース１２０に（連結部１３２ｂを切り離さない限りは）開放不能に装着される。
【００９２】
基板ケース１１０が閉止状態になると、トップケース１３０をボトムケース１２０に対して開放方向にスライド移動させようとしても、ロック部材１４０がトップ側ロック部１３２とボトム側ロック部１２２とに跨って挿入されているため、当該スライド移動が規制される。
【００９３】
このように基板ケース１１０が閉止状態に保持されると、基板ケース１１０内に収容された主制御基板１１への外部からのアクセスは困難である。ここで、封印シール１５０には、ＩＣチップ１５２及びアンテナ線１５３が実装されており、基板ケース１１０の内部に収容された状態のままで、ＩＣチップ１５２に格納された各種情報を、基板ケース１１０を開放することなくリーダによって外部から読み取り可能である。
【００９４】
次に、基板ケース１１０を開放する際の作用について説明する。まず、基板ケース１１０を開放するには、詳細図示を省略するが、不正開放防止構造におけるトップ側ロック部１３２とトップケース本体１３１との間を繋ぐ連結部１３２ｂをニッパ等の工具を用いて切断し、ロック部材１４０を介してボトム側ロック部１２２と係合連結された状態のトップ側ロック部１３２をトップケース本体１３１から切り離す。
【００９５】
ここで、本実施形態では、この状態からトップケース１３０をボトムケース１２０に対して開放方向にスライド移動させようとしても、封印構造において、シールカッター部材１６０のロック片１６６がボトム側封印部１２３のロック受部１２５と当接してトップケース１３０を定位置（閉止状態）にロックするため、前述のように不正開放防止構造における連結部１３２ｂを切断しただけでは、当該スライド移動は拘束されたままである。
【００９６】
そこで、まず始めに、図３４及び図３５に示すように、トップ側封印部１３３のトップ側分離部１３６をニッパ等の工具を用いて複数個のスリット１３６ａに沿って破断する。これにより、トップ側分離部１３６を介してトップ側収容部１３４と連結された状態の遮蔽部１３７がトップ側封印部１３３から切り離され、この遮蔽部１３７が取り除かれた部分に略矩形状の開口１３８が開設される。
【００９７】
続いて、図３６及び図３７に示すように、トップ側封印部１３３の開口１３８を通じて、シールカッター部材１６０のカッター側分離部１６４をニッパ等の工具を用いて複数個のスリット１６４ａに沿って破断する。これにより、カッター側分離部１６４を介してカッター側収容部１６１と連結された状態のスライドロック部１６５がシールカッター部材１６０から分離され、その結果として、ロック受部１２５と協働してトップケース１３０の開放方向へのスライド移動を拘束していたスライドロック部１６５（ロック片１６６）が取り除かれる。これにより、ボトムケース１２０とトップケース１３０との連結が絶たれ、基板ケース１１０が開放可能な状態となる。
【００９８】
ここで、基板ケース１１０が開放される前の状態では、図３７に示すように、シールカッター部材１６０の破壊突起１６２は封印シール１５０と接触しておらず所定間隔をあけて近接対向している。前述したように、トップ側封印部１３３とシールカッター部材１６０とは一体的に係合連結（係合アーム１３５と被係合部１６３とが係合）しているため、トップケース１３０を開放方向にスライド移動させると、シールカッター部材１６０もトップケース１３０と一体化された状態で開放方向へ移動することとなる。
【００９９】
このとき、ボトム側封印部１２３の溝部１２４ｂは、破壊突起１６２の移動軌跡に対応する位置に凹設され、この溝部１２４ｂ上を横断するようにして封印シール１５０が貼着されているので、シールカッター部材１６０を開放方向にスライド移動させると、図３８及び図３９に示すように、破壊突起１６２が封印シール１５０に接触して当該スライド方向に沿って封印シール１５０を破断しながら溝部１２４ｂを通過することとなる。このように封印シール１５０を切り裂けば、ＩＣチップ１５２そのものを破壊できなくても、アンテナ線１５３を破壊することができ、ＩＣチップ１５２に格納された各種情報が実質的に読み取り不能となるため、これにより不正アクセスの痕跡を残存させることができるとともに、封印シール１５０を再使用不能な程度に破壊することができる。
【０１００】
そして、トップケース１３０と共にシールカッター部材１６０をそのまま開放方向にスライド移動させれば、破壊突起１６２が封印シール１５０を破断しつつ溝部１２４ｂの開放端から脱出し、ボトムケース１２０のボトム側スライド係合部１２１ｃがトップケース１３０のトップ側溝部１３１ｃから抜去される所定位置まで到達したところで、トップケース１３０をボトムケース１２０に対して後方に離間させれば、ボトムケース１２０からトップケース１３０が取り外される。
【０１０１】
こうして取り外されたトップケース１３０には、図３８及び図３９に示すように、複数個のスリット１３６ａに沿ってトップ側分離部１３６が破断された痕跡（基板ケース１１０が開放されたことを示す痕跡として開口１３８）が明瞭に残存し、不正な使い回しができなくなる。これと同様に、シールカッター部材１６０には、図３８及び図３９に示すように、複数個のスリット１６４ａに沿ってカッター側分離部１６４が破断された痕跡（基板ケース１１０が開放されたことを示す痕跡としてスライドロック部１６５の消失）が明瞭に残存し、不正な使い回しができなくなる。そのため、複数の中古機等から同型の基板ケース（１１０）を取り出し、これらの中からケース構成部品を無傷の状態でそれぞれ抽出して適宜に組み合わせることで、１個の新たな基板ケース（１１０）を複製しこれを正規品とすり替える、所謂二個一（ニコイチ）と称される不正行為に利用されたとしても、トップケース１３０、シールカッター部材１６０及び封印シール１５０には破壊痕が明瞭に残存しているため、その不正行為を容易に見破ることができる。
【０１０２】
以上、第２実施形態に係る主制御基板ケースユニット１００によれば、トップケース１３０、シールカッター部材１６０及び封印シール１５０を破壊することなく、基板ケース１１０を開放することができない構造となるため、基板ケース１１０が開放された場合にはその痕跡を明瞭に残存させて該不正行為を早期に発見することができるとともに、基板ケース１１０の構成部品を破壊痕のない状態で使い回し出来なくなるので所謂二個一（ニコイチ）と称される不正行為を未然に防止することが可能である。また、基板ケース１１０の内部に隠蔽されたかたちでロック片１６６とロック受部１２５とが当接してボトムケース１２０に対するトップケース１３０のスライド移動を拘束する構成であるため、基板ケース１１０の外部からロック片１６６及びロック受部１２５にアクセスして当該ロック状態（当接状態）を解除するのは非常に困難であり、基板ケース１１０の不正な開放を厳重に抑止して主制御基板１１に対する不正な改造行為を受け難くすることが可能である。従って、本実施形態によれば、不正行為の予防及び早期発見に寄与することが可能になるという効果を奏する。
【０１０３】
また、第２実施形態に係る主制御基板ユニット１００では、基板ケース１１０を組み立てる際に、溶着や接着等の二次加工が不要な構造であるため、組み立ての作業性が向上するとともに製造コストの低減を図ることができる。
【０１０４】
また、第２実施形態に係る主制御基板ユニット１００では、基板ケース１１０の閉止状態において、外部からトップケース１３０及びシールカッター部材１６０のスリット１３４ａ，１６４ａに不正具を挿入してロック片１６６にアクセスしようとしても（スライドロックを解除するためにロック片１６６を切除しようとしても）、ロック片１６６と近接対向した状態で阻止片１６７が配置されているため、ロック片１６６への侵入経路を遮断してロック片１６６へのアクセスを困難とすることができる（図３５の破線Ｘを参照）。
【０１０５】
ここで、上述の第２実施形態に係る基板ケース１００の変形例について図４０〜図４３を参照しながら説明する。なお、この変形例の説明では、上述の第２実施形態と同一の構成要素（又は同一の機能を有する構成要素）には同一番号を付して重複説明を省略し、主として上述の実施形態と異なる部分を中心に説明する。この変形例では、上述の第２実施形態と比較して、シール部材としてＩＣチップ１５２を備えた封印シール１５０の代わりにＱＲコードを記録した封印シール１８０を用いている点で相違するとともに、トップケース１３０及びシールカッター部材１６０に破断用の薄肉部を形成している点で相違している。
【０１０６】
封印シール１８０は、紙製のシート部材１８１に、固有の識別情報を示すＱＲコード（二次元コード）１８２が印刷により付されて構成されている。封印シール１８０は、ボトム側封印部１２３のシール貼着部１２４ａに略Ｌ字状に折曲された状態で貼着される。
【０１０７】
シールカッター部材１６０の基壁１６１ａには、封印シール１８０のＱＲコード１８２と整合する位置に、ＱＲコード１８２と同じ大きさとなる矩形の開口１６１ｃが形成されている。また、シールカッター部材１６０には、基壁１６１ａにおける他の部位よりも板厚が薄肉となる複数個の薄肉部１６９ａを有してなるカッター側分離部１６９が形成されており、これら複数個の薄肉部１６９ａに取り囲まれて、トップケース１３０の開放方向へのスライド移動を拘束するための平板状のロック片１６６が形成されている。ロック片１６６は、基壁１６１ａの裏面側からスライド方向と直交する方向に延出しており、シールカッター部材１６０がボトム側封印部１２３に装着されたときにボトム側封印部１２３の受容空間１２６内に挿入されてロック受部１２５とスライド方向に対峙する。カッター側分離部１６９は、外部からニッパ等の工具を用いて破断可能に形成されており、ロック片１６６をシールカッター部材１６０の他の部分から区分している。つまり、カッター側分離部１６９が複数個の薄肉部１６９ａに沿って破断されることにより、ロック片１６６をシールカッター部材１６０から分離可能に構成されている。
【０１０８】
トップ側封印部１３３には、基壁１３４ａと側壁１３４ｂとに跨ってトップ側分離部１３９が形成されている。トップ側分離部１３９は、基壁１３４ａにおける他の部位よりも板厚が薄肉となるコ字状の薄肉部１３９ａと、左側の側壁１３４ｂに表裏貫通されてミシン目状に配置された複数個のスリット１３９ｂとを有してなり、これら薄肉部１３９ａ及びスリット１３９ｂに取り囲まれて遮蔽部１３７が形成されている。トップ側分離部１３９は、外部からニッパ等の工具を用いて破断可能に形成されており、遮蔽部１３７を他の部位から区分している。つまり、トップ側分離部１３９が薄肉部１３９ａおよびスリット１３９ｂに沿って破断されることにより、遮蔽部１３７をトップ側封印部１３３から分離可能であり、その結果として、遮蔽部１３７が取り除かれた部分に、基壁１３４ａと側壁１３４ｂとに跨って開口が開設され、この開口を通じてシールカッター部材１６０のカッター側分離部１６４にアクセスが可能となっている。
【０１０９】
以上、このような変形例においても、前記第２実施形態と同様の作用、効果を奏することができる。すなわち、基板ケース１１０の閉止状態では、トップケース１３０の開放方向へのスライド移動が規制される一方で、トップ側分離部１３９及びカッター側分離部１６９を破断してシールカッター部材１６０からロック片１６６を分離させることでトップケース１３０の開放方向へのスライド移動が許容されるため、トップケース１３０及びシールカッター部材１６０を一体化した状態で開放方向へスライドさせると、シールカッター部材１６０の破壊突起１６２が封印シール１８０のＱＲコード１８２を破断して、このＱＲコード１８２に記録された情報が実質的に読み取り不能になるので、これにより不正アクセスの痕跡を残存させることができるとともに、封印シール１８０を再利用不能な程度に破壊することができる。また、トップケース１３０及びシールカッター部材１６０には、分離部１３９，１６９が破断された痕跡が明瞭に残存し、不正な使い回しができなくなる。そのため、複数の中古機等から同型の基板ケース（１１０）を取り出し、これらの中からケース構成部品を無傷の状態でそれぞれ抽出して適宜に組み合わせることで、１個の新たな基板ケース（１１０）を複製しこれを正規品とすり替える、所謂二個一（ニコイチ）と称される不正行為に利用されたとしても、トップケース１３０、シールカッター部材１６０及び封印シール１８０には破壊痕が明瞭に残存しているため、その不正行為を容易に見破ることができる。
【０１１０】
また、基板ケース１１０の閉止状態では、封印シール１８０は二重の透明樹脂部材（トップケース１３０及びシールカッター部材１６０）によって覆われているのであるが、シールカッター部材１６０においてＱＲコード１８２と整合する部分に当該ＱＲコード１８２と略一致する大きさの開口１６１ｃを設けることで、基板ケース１１０外部からのＱＲコード１８２の視認性が高められている。従って、封印シール１８０を二重の透明樹脂部材によって包囲した場合であっても、基板ケース１１０外部から封印シール１８０の状態（正規品か否か、破壊の痕跡があるか否か）を容易に目視確認することが可能であるとともに、ＱＲコード１８２をＱＲコードリーダ機器等で容易且つ正確に読み取りが可能となる。更には、シールカッター部材１６０に開口１６１ｃを設けずに、当該開口部分を他の部位と比べて薄肉にすることで、ＱＲコード１８２の視認確認（目視確認）やＱＲコードリーダ機器による読み取り確認が容易に行えるのであれば、当該開口部分を薄肉構造に変更してもよい。逆に、シールカッター部材１６０に開口１６１ｃを設けたとしても、ＱＲコード１８２の視認確認（目視確認）やＱＲコードリーダ機器による読み取り確認が困難であれば、基板ケース１１０を閉止状態にした際にトップケース１３０において開口１６１ｃと重なる部分に他の部位よりも薄肉となる薄肉確認部１３３ａを設けてもよい。また、この薄肉確認部１３３ａをトップ側分離部１３９の薄肉部１３９ａと一体的に形成することで（両者を共用できるようにすることで）、薄肉部１３９ａを破壊した際に薄肉確認部１３９ａも同時に破壊されるようにして（例えば、亀裂やひびが入るようにして）、トップケース１３０により大きな痕跡が残存するように構成してもよい。
【０１１１】
なお、本発明は、上記実施形態に限定されるものではなく、本発明の要旨を逸脱しない範囲であれば適宜改良可能である。
【０１１２】
上述の実施形態では、基板ケース４０（１１０）の閉止状態からトップケース６０（１３０）を開放方向にスライド移動させると、シールカッター部材９０（１６０）のロック片９６（１６６）がボトム側封印部５３（１２３）のロック受部５５（１２５）に当接して当該スライド移動を拘束するように構成したが、これに限定されるものではなく、例えば、シールカッター部材９０（１６０）を装着したとき、シールカッター部材９０（１６０）のロック部がボトム側封印部５３（１２３）の被ロック部に（例えば、ボトム側スライド係合部５１ｃ（１２１ｃ）とトップ側スライド係合部６１ｃ（１３１ｄ）との係合関係、ロック部材７０（１４０）とロック孔５２ａ（１２２ａ），６２ａ（１３２ａ）との係合関係、又は係合アーム１３５と被係合部１６３との係合関係の如く）係合連結することで、トップケース６０（１３０）を定位置にロックして、ボトムケース５０（１２０）に対するトップケース６０（１３０）の開放方向へのスライド移動を拘束するように構成してもよい。
【０１１３】
また、上述の実施形態では、封印構造におけるシール部材として、ＩＣチップ又はＱＲコードを備えた封印シールを例示して説明したが、これに限定されるものではなく、ＩＣチップやＱＲコードを備えていない封印シールを用いてもよい。
【０１１４】
また、上述の実施形態では、不正開放防止構造及び封印構造の両方を具備する基板ケースユニットを適用したが、この構成に限定されるものではなく、封印構造のみを具備する基板ケースユニットであってもよい。また、不正開放防止構造を具備する場合には、上述のように必ずしも二組設ける必要はなく、一組だけでもよい。
【０１１５】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【０１１６】
ＰＭ  ぱちんこ遊技機
１  外枠
２  前枠
５  ガラス枠
１０  遊技盤
１１  主制御基板（制御基板）
３０  主制御基板ケースユニット（基板ケースユニット）
４０  基板ケース
５０  ボトムケース（第１ケース部材、一方のケース部材）
５３  ボトム側封印部
５５  ロック受部（被ロック部）
６０  トップケース（第２ケース部材、他方のケース部材）
６３  トップ側封印部
６６  カッター挿通溝（破断部挿通孔）
６７  ロック片挿通溝（ロック部挿通孔）
８０  封印シール（シール部材）
９０  シールカッター部材（シール破断部材）
９１  基部板（破断部材本体）
９２  分離部
９４  破壊突起（破断部）
９６  ロック片（ロック部）
【図１】
2015107196.tif 000003
【図２】
2015107196.tif 000004
【図３】
2015107196.tif 000005
【図４】
2015107196.tif 000006
【図５】
2015107196.tif 000007
【図６】
2015107196.tif 000008
【図７】
2015107196.tif 000009
【図８】
2015107196.tif 000010
【図９】
2015107196.tif 000011
【図１０】
2015107196.tif 000012
【図１１】
2015107196.tif 000013
【図１２】
2015107196.tif 000014
【図１３】
2015107196.tif 000015
【図１４】
2015107196.tif 000016
【図１５】
2015107196.tif 000017
【図１６】
2015107196.tif 000018
【図１７】
2015107196.tif 000019
【図１８】
2015107196.tif 000020
【図１９】
2015107196.tif 000021
【図２０】
2015107196.tif 000022
【図２１】
2015107196.tif 000023
【図２２】
2015107196.tif 000024
【図２３】
2015107196.tif 000025
【図２４】
2015107196.tif 000026
【図２５】
2015107196.tif 000027
【図２６】
2015107196.tif 000028
【図２７】
2015107196.tif 000029
【図２８】
2015107196.tif 000030
【図２９】
2015107196.tif 000031
【図３０】
2015107196.tif 000032
【図３１】
2015107196.tif 000033
【図３２】
2015107196.tif 000034
【図３３】
2015107196.tif 000035
【図３４】
2015107196.tif 000036
【図３５】
2015107196.tif 000037
【図３６】
2015107196.tif 000038
【図３７】
2015107196.tif 000039
【図３８】
2015107196.tif 000040
【図３９】
2015107196.tif 000041
【図４０】
2015107196.tif 000042
【図４１】
2015107196.tif 000043
【図４２】
2015107196.tif 000044
【図４３】
2015107196.tif 000045